(57)【要約】【課題】治安維持活動、防災活動などにたずさわる隊員の身の安全の確保とともに、機器の保全を同時に図ることの出来る電子機材の携帯用装具を提供する。【解決手段】携帯用装具１は、ファスナー５により開閉可能な扁平袋状の機器収納部６と、収納部の少なくとも前後を囲うようにして配置された一対の通気性クッション部７と、外面側となるクッション部７の外側に一体的に積層された防弾パネル部８とを備え、全体として可撓性を有している。【選択図】      図４
2007198672.tif 000002
【特許請求の範囲】
【請求項１】
ファスナーにより開閉可能な扁平袋状の機器収納部と、該収納部の少なくとも前後を囲むようにして配置された通気性クッション部と、該クッション部うち、外面側となるクッション部の外側に一体的に積層された防弾パネル部とを備えたことを特徴とする電子機材の携帯用装具。
【請求項２】
ファスナーにより開閉可能な扁平袋状の機器収納部と、該収納部の少なくとも後面側に配置された通気性クッション部と、前記外面側となるクッション部の外側に一体的に積層された防弾パネル部とを備えたことを特徴とする電子機材の携帯用装具。
【請求項３】
前記通気性クッション部は、前後所定間隔で配置した合成樹脂よりなるハニカムコア状の前後コア間を合成樹脂よりなるクッション糸により湾曲状をなして連結したクッション体を通気性カバーにより覆わしめた構造である請求項１又は２記載の電子機材の携帯用装具。
【請求項４】
前記防弾パネル部は、強化合成樹脂繊維を重合した可撓性のある板構造であることを特徴とする請求項１乃至３のいずれか１項記載の電子機材の携帯用装具。
【請求項５】
前記装具には、左右一対の肩ベルト及び腰ベルトを備えるとともに、前記装具は全体として可撓性及び前後方向の伸縮性があり、装着者の背中に背負い式に密着して持運べるようにしたことを特徴とする請求項１乃至４のいずれか１項記載の電子機材の携帯用装具。
【発明の詳細な説明】
【技術分野】
【０００１】
本発明は、治安維持活動、防災活動などに用いられる電子機材を携帯するための装具に関する。
【背景技術】
【０００２】
治安維持活動、防災活動にたずさわる隊員は、爆発物の破片や、爆風、火炎、あるいは銃弾などから身の安全を確保する必要がある。
【０００３】
また、これらの業務にたずさわる隊員が外部との連絡や、通信に使用する機器、あるいは、何らかの判定をするためにコンピュータや、バッテリなどその携帯用電源を携帯する場合、手などが機器に占有されてしまったのでは、身体活動の妨げとなるため、身体活動に支障が生じないような携帯方式が望ましい。
【発明の開示】
【発明が解決しようとする課題】
【０００４】
したがって、最も良い運搬形式としては、背負い式とすることで、手足が自由となり、機器そのものも身体から脱落しにくく、安全性も高いものとなる。
【０００５】
しかし、その反面で、隊員の身体活動に伴う発熱や、発汗により、内部に湿気が籠り、機器がこれらによる湿度の悪影響を受けやすいものとなる。また機器そのものが発熱して、内部にこもることにより、機器損傷の原因となる。
【０００６】
逆に、これら機器をむき出しのまま携帯すると、爆発物の破片や、爆風及び火炎あるいは銃弾などにより、機器が破損するおそれがあり、保全性の面で問題が生ずる。
【０００７】
本発明は、以上の課題を解決するためになされたものであり、その目的とするところは、治安維持活動、防災活動などにたずさわる隊員の身の安全の確保とともに、機器の保全を同時に図ることの出来る電子機材の携帯用装具を提供するものである。
【課題を解決するための手段】
【０００８】
前記目的を達成するため、請求項１の電子機材の携帯用装具１は、ファスナー５により開閉可能な扁平袋状の機器収納部６と、該収納部６の少なくとも前後を囲むようにして配置された通気性クッション部７と、該クッション部７のうち、外面側となるクッション部７の外側に一体的に積層された防弾パネル部８とを備えたことを特徴とする。
通気性クッション部７を機器収納部６の後面側にのみ配置させることもできる。装着者イが防弾チョッキを装着している場合には、通気性クッション部７を機器収納部６の後面側にのみ配置させる構造でも目的を達成できる。
【０００９】
前記通気性クッション部７は、前後所定間隔で配置した合成樹脂よりなるハニカムコア状の前後コア７ａ間を合成樹脂よりなるクッション糸７ｂにより湾曲状をなして連結したクッション体７ｃを通気性カバー７ｄにより覆わしめた構造とすることができる。
【００１０】
また、前記防弾パネル部８は、強化高分子繊維織布を重ね合わせて可撓性のある板構造とすることができる。
【００１１】
前記装具１は、左右一対の肩ベルト３及び腰ベルト４を備えるとともに、前記装具は全体として可撓性及び前後方向の伸縮性があり、装着者イの背中に背負い式に密着して持運べるようにした背負い式とされている。
【発明の効果】
【００１２】
本発明によれば、通気性クッション部を通じて格納された機器からの発熱を外部に拡散できる。また、爆発物の破片や、爆風及び火炎あるいは銃弾などは、防弾パネル部により防護できる。
【００１３】
背負い式としているため、装着者の手足が自由となり、身体活動の妨げとならない。また、背面側からの爆発物の破片や、爆風及び火炎あるいは銃弾から、装着者を防護すると同時に、機器の損傷も防止する。
【００１４】
さらに全体として可撓性及び伸縮性を有し、装着性が良好である。
【発明を実施するための最良の形態】
【００１５】
以下、本発明の最良の実施の形態につき、添付図面を参照して説明する。
図１は本発明を背負い式に適合させた携帯用装具の背面図、図２は図１のＡ−Ａ線における一部拡大部分を含む断面図、図３は同装具の装着状態を示す姿図、図４は同装具の内部の熱及び湿気の流れと、弾片があたった場合を示す説明用断面図である。
【００１６】
図１，２において、携帯用装具１は、装具本体２と、装具本体２の左右上部に縫合により一体化された、左右一対の肩ベルト３と、装具本体２左右側面に縫合により一体化された左右二対の腰ベルト４とを備えている。携帯用装具１には、図示しない補助ベルトを設けることができる。この補助ベルトを用いて、背負い式とすることができる。
【００１７】
前記装具本体２は、縫合により扁平袋状に形成され、かつ上部をスライドファスナー５により開閉可能とした機器収納部６と、機器収納部６の前後に積層された前後一対の通気性クッション部７と、背面側クッション部４の背面に一体化された防弾パネル部８と、これら全体を覆う通気性表装材９とを備えている。通気性表装材９の前部は、前通気性クッション部７と一体とされていても良い。
【００１８】
前記肩ベルト３の中央部には、ベルトクッション１０が逢着または脱着式に設けられている。また、両肩ベルト３の先端部には差込式のバックル１１が取付けられている。
【００１９】
前記肩ベルト３は、これを装着者の肩に回した状態でその先端を装具本体２の両側部に設けた図示しないバックル受けに差込むことで、リュックザック式に背負うものである。装着者が防弾チョッキを着用している場合には、防弾チョッキ側にバックル受けを設ける。
【００２０】
さらに両肩ベルト３には、拘束用の一対のベルト１２が分岐状に一体化され、装具本体２を肩ベルト３を介して背負った状態で、一方の拘束用ベルト１２の先端に設けたバックル１１を他方の拘束用ベルト１２の先端に設けたバックル受け１３に差込むことで、肩ベルト３同士を胸元で引寄せ、前記装具本体２を背負いやすい最適位置に引寄せるようになっている。
【００２１】
前記両腰ベルト４同士は適度に長さを調節した上で、その先端にそれぞれ設けられたバックル１１をバックル受け１３に差込むことで装着者の腰部にフィットした装着が出来るようになっている。
【００２２】
前記通気性クッション部７は、図２の一部に拡大して示すように、所定間隔で前後配置したハニカム状の多数のコア７ａと、湾曲状をなして前後コア７ａ間を一体に連結した多数のクッション糸７ｂ（図では一部省略して描いている）からなる所定厚みのクッション体７ｃを通気性カバー７ｄにより覆ったものである。
【００２３】
前記クッション体７ｃはハニカムコア状合成樹脂繊維を加熱エキスパンド方式により前後に引き延すことにより、多数のクッション糸７ｂを形成し、このクッション糸７ａを介して所定の厚みとしたものであり、その開口率は極めて高く、しかも軽量であって、弾性も高いものとなっている。
【００２４】
前記防弾パネル８は、ケブラーなどの耐熱性の強化高分子繊維織布を重ね合せ、強度と伸びをを付与したものであり、その強度と伸びにより、耐弾性があり、爆発物の破片や銃弾などの貫通を防護するものである。
【００２５】
以上の携帯用装具１を背負った状態を図３、図４に示す。図において、肩ベルト３及び腰ベルト４の長さを装着者［イ］の体型にフィットさせて装具本体２を背負った状態では、装具本体２の装着者［イ］に密接する通気性クッション部７は、その背中のＳ字形体型に応じてＳ字形に弾性変形し、体型にフィットする。
【００２６】
そして、装着者［イ］の身体活動に伴い、その衣服１４を通じて装具本体２に伝わった熱及び湿気は、そのクッション部７の通気性に応じて、図４の矢印に示すごとく装具本体２の上部または下部より外部に向けて拡散される。
【００２７】
また、収納部６に収装された機器１５から発生する熱は、前後のクッション部７を通じて装具本体２の上部または下部から外部に向けて拡散され、これにより機器１５は過熱することなく、常時適正温度に保たれることになる。
【００２８】
さらに、装着者［イ］の背面に背面側からの爆発物の破片や、銃弾が飛んできた場合には、防弾パネル部８の防護作用により、それらをはじき飛ばし、内部を防護する。なお、この場合、防弾パネル部８の内側の通気性クッション部７も弾性変形することにより、あたったときの衝撃が緩和され、内部の機器１５を衝撃から保護することになる。
【００２９】
他方、爆風及び火炎吹込により、装具本体２の背面より全体に圧力が加わった場合には、クッション部７が全体的に扁平状に弾性変形して衝撃が緩和され、装着者［イ］とともに内部機器１５を保護することが出来るのである。
【００３０】
なお、以上の実施形態では、本発明を背負い式に適用した場合を示したが、把手を介して手で運搬できる構造とすることも出来る。また現場に応じて背負い式としたり、手で持つなど、両用タイプも実現可能であることも勿論である。
【図面の簡単な説明】
【００３１】
【図１】本発明を背負い式に適合させた場合の実施形態を示す携帯用装具の背面図である。
【図２】図１のＡ−Ａ線における一部拡大部分を含む断面図である。
【図３】同装具を装着者が装着した状態を示す姿図である。
【図４】同装具の内部の熱及び湿気の流れと弾片があたった場合を示す説明用断面図である。
【符号の説明】
【００３２】
１  携帯用装具
２  装具本体
３  肩ベルト
４  腰ベルト
５  ファスナー
６  機器収納部
７  通気性クッション部
８  防弾パネル部
［イ］  装着者
【図１】
2007198672.tif 000003
【図２】
2007198672.tif 000004
【図３】
2007198672.tif 000005
【図４】
2007198672.tif 000006